(57)【要約】【課題】コイルに供給する電流のリップルに起因するスイッチトリラクタンスモータの振動及び騒音を低減する。【解決手段】ステータの突極１つに対して第１のコイル２ｃ及び第２のコイル２ｄが巻回されたスイッチトリラクタンスモータ２と、第１のコイル２ｃと第２のコイル２ｄごとに供給される電流を制御することでスイッチトリラクタンスモータ２を駆動する駆動制御手段３とを備え、駆動制御手段３は、第１のコイル２ｃに供給される電流のリップルの位相と、第２のコイル２ｄに供給される電流のリップルの位相とがずれるように第１のコイル２ｃ及び第２のコイル２ｄに対して供給される電流を制御する。【選択図】図１
2014135795.tif 000002
【特許請求の範囲】
【請求項１】
ステータの突極１つに対して複数のコイルが巻回されたスイッチトリラクタンスモータと、
前記コイルごとに前記コイルに供給される電流を制御することで前記スイッチトリラクタンスモータを駆動する駆動制御手段と
を備え、
前記駆動制御手段は、
前記複数のコイルのうち第１のコイルに供給される電流のリップルの位相と、前記複数のコイルのうち第２のコイルに供給される電流のリップルの位相とがずれるように前記コイルに対して供給される電流を制御する
ことを特徴とするモータ装置。
【請求項２】
前記第１のコイルに供給される電流のリップルと、前記第２のコイルに供給される電流のリップルとの位相を１８０°ずらすことを特徴とする請求項１記載のモータ装置。
【請求項３】
前記駆動制御手段は、
前記コイルの一端側に接続される一端側スイッチング素子と、当該コイルの他端側に接続される他端側スイッチング素子とを有する駆動回路と、
前記一端側スイッチング素子及び前記他端側スイッチング素子の駆動信号であるパルス信号を生成すると共に、当該パルス信号を前記駆動回路に供給する駆動回路制御装置と
を備え、
前記駆動回路が、前記突極１つ対して巻回された前記コイルごとに設けられている
ことを特徴とする請求項１または２に記載のモータ装置。
【発明の詳細な説明】
【技術分野】
【０００１】
本発明は、モータ装置に関するものである。
【背景技術】
【０００２】
永久磁石を必要としないモータとしてスイッチトリラクタンスモータが注目されている。このスイッチトリラクタンスモータは、例えば、特許文献１に示すように、複数の突極が形成されたロータ及びステータを備え、ステータの突極に設けられたコイルに電流を供給することによってロータを回転駆動するトルクを発生する。
【０００３】
このようなスイッチトリラクタンスモータにおいては、構造が単純で制御が容易である反面、振動と騒音とが大きいことが知られている。このような問題に対して、例えば、特許文献２においては、コイルに供給する電流の電流波形の減衰形状をＳ字状とするとともに、減衰所要時間を固有振動数周期の２〜３倍とする構成が開示されている。
【先行技術文献】
【特許文献】
【０００４】
【特許文献１】特開２０１０−９３８８９号公報
【特許文献２】特開平１０−６６３７８号公報
【発明の概要】
【発明が解決しようとする課題】
【０００５】
ところで、スイッチトリラクタンスモータの振動及び騒音の発生原因としては、いくつか考えられるが、この１つとして、各コイルに供給される電流のリップルが考えられる。コイルに供給される電流が脈動すると、コイルが発生する磁界も同様に脈動し、この結果、意図しないトルクの細かな変動（トルクリップル）が発生する。このトルクリップルによって、ロータが振動し、スイッチトリラクタンスモータの振動及び騒音が発生するものと考えられる。
【０００６】
本発明は、上述する問題点に鑑みてなされたもので、コイルに供給する電流のリップルに起因するスイッチトリラクタンスモータの振動及び騒音を低減することを目的とする。
【課題を解決するための手段】
【０００７】
本発明は、上記課題を解決するための手段として、以下の構成を採用する。
【０００８】
第１の発明は、モータ装置であって、ステータの突極１つに対して複数のコイルが巻回されたスイッチトリラクタンスモータと、上記コイルごとに上記コイルに供給される電流を制御することで上記スイッチトリラクタンスモータを駆動する駆動制御手段とを備え、上記駆動制御手段が、上記複数のコイルのうち第１のコイルに供給される電流のリップルの位相と、上記複数のコイルのうち第２のコイルに供給される電流のリップルの位相とがずれるように上記コイルに対して供給される電流を制御するという構成を採用する。
【０００９】
第２の発明は、第１の発明において、上記第１のコイルに供給される電流のリップルと、上記第２のコイルに供給される電流のリップルとの位相を１８０°ずらすという構成を採用する。
【００１０】
第３の発明は、上記第１または第２の発明において、上記駆動制御手段が、上記コイルの一端側に接続される一端側スイッチング素子と、当該コイルの他端側に接続される他端側スイッチング素子とを有する駆動回路と、上記一端側スイッチング素子及び上記他端側スイッチング素子の駆動信号であるパルス信号を生成すると共に、当該パルス信号を上記駆動回路に供給する駆動回路制御装置とを備え、上記駆動回路が、上記突極１つ対して巻回された上記コイルごとに設けられているという構成を採用する。
【発明の効果】
【００１１】
本発明によれば、ステータの同一の突極に対して設けられた第１のコイルと第２のコイルとに対して、リップルの位相がずれた電流が供給される。このため、第１のコイルによるトルクリップルと第２のコイルによるトルクリップルとの位相もずれ、トルクリップル同士が打ち消しあい、これによって振動及び騒音の発生を低減させることができる。したがって、本発明によれば、コイルに供給する電流のリップルに起因するスイッチトリラクタンスモータの振動及び騒音を低減することが可能となる。
【図面の簡単な説明】
【００１２】
【図１】本発明の一実施形態におけるモータ装置の概略構成図である。
【図２】本発明の一実施形態におけるモータ装置が備える第１のコイルに接続される駆動回路を示す回路図である。
【図３】本発明の一実施形態におけるモータ装置が備える第２のコイルに接続される駆動回路を示す回路図である。
【図４】本発明の一実施形態におけるモータ装置におけるパルス信号、電流及びトルクの波形を示す模式図である。
【発明を実施するための形態】
【００１３】
以下、図面を参照して、本発明に係るモータ装置の一実施形態について説明する。なお、以下の図面において、各部材を認識可能な大きさとするために、各部材の縮尺を適宜変更している。
【００１４】
図１は、本実施形態のモータ装置１の概略構成図である。この図に示すように、本実施形態のモータ装置１は、スイッチトリラクタンスモータ２と、駆動制御部３（駆動制御手段）とを備えている。
【００１５】
スイッチトリラクタンスモータ２は、ステータ２ａと、ロータ２ｂと、第１のコイル２ｃと、第２のコイル２ｄとを備えている。ステータ２ａは、ロータ２ｂの回転軸方向から見て、ロータ２ｂを囲う略円筒形状の部材であり、鉄等の磁性体によって形成されている。図１に示すように、このステータ２ａの内周側には、６つの突極２ａ１〜２ａ６が設けられている。これらの突極２ａ１〜２ａ６は、周方向に等間隔で配置されている。ロータ２ｂは、ステータ２ａの内部に収容された略円柱状の部材であり、ステータ２ａと同様に、鉄等の磁性体によって形成されている。図１に示すように、このロータ２ｂ外周側には、４つの突極２ｂ１〜２ｂ４が設けられている。これらの突極２ｂ１〜２ｂ４は、周方向に等間隔で配置されている。
【００１６】
第１のコイル２ｃは、ステータ２ａの各突極２ａ１〜２ａ６の先端側に巻回されるようにして設けられている。なお、以下の説明において、突極２ａ１に設けられる第１のコイル２ｃを第１のコイル２ｃ１と称し、突極２ａ２に設けられる第１のコイル２ｃを第１のコイル２ｃ２と称し、突極２ａ３に設けられる第１のコイル２ｃを第１のコイル２ｃ３と称し、突極２ａ４に設けられる第１のコイル２ｃを第１のコイル２ｃ４と称し、突極２ａ５に設けられる第１のコイル２ｃを第１のコイル２ｃ５と称し、突極２ａ６に設けられる第１のコイル２ｃを第１のコイル２ｃ６と称する。これらの第１のコイル２ｃは、電流が供給されることによって、ロータ２ｂを回転駆動するための磁界を形成する。
【００１７】
第２のコイル２ｄは、ステータ２ａの各突極２ａ１〜２ａ６の根元側に巻回されるようにして設けられている。なお、以下の説明において、突極２ａ１に設けられる第２のコイル２ｄを第２のコイル２ｄ１と称し、突極２ａ２に設けられる第２のコイル２ｄを第２のコイル２ｄ２と称し、突極２ａ３に設けられる第２のコイル２ｄを第２のコイル２ｄ３と称し、突極２ａ４に設けられる第２のコイル２ｄを第２のコイル２ｄ４と称し、突極２ａ５に設けられる第２のコイル２ｄを第２のコイル２ｄ５と称し、突極２ａ６に設けられる第２のコイル２ｄを第２のコイル２ｄ６と称する。これらの第２のコイル２ｄは、電流が供給されることによって、ロータ２ｂを回転駆動するための磁界を形成する。
【００１８】
このように、本実施形態のモータ装置１においては、ステータ２ａの突極２ａ１〜２ａ６の各々に対して、２つのコイル（第１のコイル２ｃと第２のコイル２ｄ）が設けられている。
【００１９】
なお、これらの第１のコイル２ｃ及び第２のコイル２ｄは、ロータ２ｂの回転軸を中心とする回転角度の位相に応じて３つの相に分類されている。本実施形態においては、回転するロータ２ｂの突極２ｂ１〜２ａ４と対向するタイミングごとに３つの相（Ａ相〜Ｃ相）が存在し、第１のコイル２ｃ１と第１のコイル２ｃ４と第２のコイル２ｄ１と第２のコイル２ｄ４とがＡ相に属し、第１のコイル２ｃ３と第１のコイル２ｃ６と第２のコイル２ｄ３と第２のコイル２ｄ６とがＢ相に属し、第１のコイル２ｃ２と第１のコイル２ｃ５と第２のコイル２ｄ２と第２のコイル２ｄ５とがＣ相に属している。同じ相に属する第１のコイル２ｃ及び第２のコイル２ｄは、ロータ２ｂが回転しているときに、同じタイミングでロータ２ｂのいずれかの突極２ｂ１〜２ｂ４に対向配置される。例えば、本実施形態では、図１に示すように、Ａ相に属する第１のコイル２ｃ１及び第２のコイル２ｄ１が突極２ｂ１に対向配置されているときには、同じくＡ相に属する第１のコイル２ｃ４及び第２のコイル２ｄ４が突極２ｂ３と対向配置され、他の相（Ｂ相及びＣ相）に属する第１のコイル２ｃ及び第２のコイル２ｄはいずれの突極２ｂ１〜２ｂ４とも対向配置されない。これからロータ２ｂが右回転すると、Ｂ相に属する第１のコイル２ｃ３及び第２のコイル２ｄ３が突極２ｂ２と対向配置され、同じくＢ相に属する第１のコイル２ｃ６及び第２のコイル２ｄ６が突極２ｂ４と対向配置され、他の相（Ａ相及びＣ相）に属する第１のコイル２ｃ及び第２のコイル２ｄはいずれの突極２ｂ１〜２ｂ４とも対向配置されない。さらに、ロータ２ｂが右回転すると、Ｃ相に属する第１のコイル２ｃ２及び第２のコイル２ｄ２が突極２ｂ１と対向配置され、同じくＣ相に属する第１のコイル２ｃ５及び第２のコイル２ｄ５が突極２ｂ３と対向配置され、他の相（Ａ相及びＢ相）に属する第１のコイル２ｃ及び第２のコイル２ｄはいずれの突極２ｂ１〜２ｂ４とも対向配置されない。
【００２０】
駆動制御部３は、駆動回路３ａと、駆動回路制御装置３ｂと、回転センサ３ｃ（回転角度検出部）とを備えている。また、駆動回路３ａとして、第１のコイル２ｃに対して接続される駆動回路３ａ１と、第２のコイル２ｄに対して接続される駆動回路３ａ２とが設置されている。図２は、駆動回路３ａ１と第１のコイル２ｃとを含む回路図である。この図に示すように駆動回路３ａ１は、直流電源１０と、陽極ライン１１と、陰極ライン１２と、平滑コンデンサ１３と、３つのブリッジ回路１４〜１６とを備えている。
【００２１】
直流電源１０は、バッテリ等からなり、正側端子に陽極ライン１１が接続され、負側端子に陰極ライン１２が接続されている。陽極ライン１１は直流電源１０の正側端子に接続された電気配線であり、陰極ライン１２は直流電源１０の負側端子に接続された電気配線である。平滑コンデンサ１３は、陽極側のリード線が陽極ライン１１に接続され、陰極側のリード線が陰極ライン１２に接続されている。
【００２２】
ブリッジ回路１４〜１６は、Ａ相〜Ｃ相の相ごとに対応して設けられている。ここでは、ブリッジ回路１４がＡ相に対して設けられており、ブリッジ回路１５がＢ相に対して設けられており、ブリッジ回路１６がＣ相に対して設けられている。
【００２３】
Ａ相に属する第１のコイル２ｃ１及び第１のコイル２ｃ４は、図２に示すように直列接続されている。ブリッジ回路１４は、これらの直列接続された第１のコイル２ｃ１及び第１のコイル２ｃ４と接続されている。このブリッジ回路１４は、直列接続された第１のコイル２ｃ１及び第１のコイル２ｃ４の一端側に接続される第１レグ１４ａと、直列接続された第１のコイル２ｃ１及び第１のコイル２ｃ４の他端側に接続される第２レグ１４ｂとによって構成されている。また、第１レグ１４ａは、陽極ライン１１と第１のコイル２ｃ１及び第１のコイル２ｃ４とを接続するスイッチング素子１４ａ１（一端側スイッチング素子）と、陰極ライン１２と第１のコイル２ｃ１及び第１のコイル２ｃ４とを接続するダイオード１４ａ２とが直列接続された構成とされている。また、第２レグ１４ｂは、陰極ライン１２と第１のコイル２ｃ１及び第１のコイル２ｃ４とを接続するスイッチング素子１４ｂ１（他端側スイッチング素子）と、陽極ライン１１と第１のコイル２ｃ１及び第１のコイル２ｃ４とを接続するダイオード１４ｂ２とが直列接続された構成とされている。なお、スイッチング素子１４ａ１及びスイッチング素子１４ｂ１は、例えばＩＧＢＴ（絶縁ゲートバイポーラトランジスタ）からなる。これらのスイッチング素子１４ａ１及びスイッチング素子１４ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｃ１及びコイル２ｃ４は、並列に接続してもよい。
【００２４】
Ｂ相に属する第１のコイル２ｃ３及び第１のコイル２ｃ６は、図２に示すように直列接続されている。ブリッジ回路１５は、これらの直列接続された第１のコイル２ｃ３及び第１のコイル２ｃ６と接続されている。このブリッジ回路１５は、直列接続された第１のコイル２ｃ３及び第１のコイル２ｃ６の一端側に接続される第１レグ１５ａと、直列接続された第１のコイル２ｃ３及び第１のコイル２ｃ６の他端側に接続される第２レグ１５ｂとによって構成されている。また、第１レグ１５ａは、陽極ライン１１と第１のコイル２ｃ３及び第１のコイル２ｃ６とを接続するスイッチング素子１５ａ１（一端側スイッチング素子）と、陰極ライン１２と第１のコイル２ｃ３及び第１のコイル２ｃ６とを接続するダイオード１５ａ２とが直列接続された構成とされている。また、第２レグ１５ｂは、陰極ライン１２と第１のコイル２ｃ３及び第１のコイル２ｃ６とを接続するスイッチング素子１５ｂ１（他端側スイッチング素子）と、陽極ライン１１と第１のコイル２ｃ３及び第１のコイル２ｃ６とを接続するダイオード１５ｂ２とが直列接続された構成とされている。なお、スイッチング素子１５ａ１及びスイッチング素子１５ｂ１は、例えばＩＧＢＴ（絶縁ゲートバイポーラトランジスタ）からなる。これらのスイッチング素子１５ａ１及びスイッチング素子１５ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｃ３及びコイル２ｃ６は、並列に接続してもよい。
【００２５】
Ｃ相に属する第１のコイル２ｃ２及び第１のコイル２ｃ５は、図２に示すように直列接続されている。ブリッジ回路１６は、これらの直列接続された第１のコイル２ｃ２及び第１のコイル２ｃ５と接続されている。このブリッジ回路１６は、直列接続された第１のコイル２ｃ２及び第１のコイル２ｃ５の一端側に接続される第１レグ１６ａと、直列接続された第１のコイル２ｃ２及び第１のコイル２ｃ５の他端側に接続される第２レグ１６ｂとによって構成されている。また、第１レグ１６ａは、陽極ライン１１と第１のコイル２ｃ２及び第１のコイル２ｃ５とを接続するスイッチング素子１６ａ１（一端側スイッチング素子）と、陰極ライン１２と第１のコイル２ｃ２及び第１のコイル２ｃ５とを接続するダイオード１６ａ２とが直列接続された構成とされている。また、第２レグ１６ｂは、陰極ライン１２と第１のコイル２ｃ２及び第１のコイル２ｃ５とを接続するスイッチング素子１６ｂ１（他端側スイッチング素子）と、陽極ライン１１と第１のコイル２ｃ２及び第１のコイル２ｃ５とを接続するダイオード１６ｂ２とが直列接続された構成とされている。なお、スイッチング素子１６ａ１及びスイッチング素子１６ｂ１は、例えばＩＧＢＴ（絶縁ゲートバイポーラトランジスタ）からなる。これらのスイッチング素子１６ａ１及びスイッチング素子１６ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｃ２及びコイル２ｃ５は、並列に接続してもよい。
【００２６】
このような駆動回路３ａ１は、駆動回路制御装置３ｂから供給されるパルス信号に基づいて、第１のコイル２ｃに対して電流を供給する。例えば、ブリッジ回路１４のスイッチング素子１４ａ１とスイッチング素子１４ｂ１とをオン状態とするパルス信号が供給されると、ブリッジ回路１４に接続された第１のコイル２ｃ１及び第１のコイル２ｃ４（すなわちＡ相に属する第１のコイル２ｃ）に電流が供給される。また、ブリッジ回路１５のスイッチング素子１５ａ１とスイッチング素子１５ｂ１とをオン状態とするパルス信号が供給されると、ブリッジ回路１５に接続された第１のコイル２ｃ３及び第１のコイル２ｃ６（すなわちＢ相に属する第１のコイル２ｃ）に電流が供給される。また、ブリッジ回路１６のスイッチング素子１６ａ１とスイッチング素子１６ｂ１とをオン状態とするパルス信号が供給されると、ブリッジ回路１６に接続された第１のコイル２ｃ２及び第１のコイル２ｃ５（すなわちＣ相に属する第１のコイル２ｃ）に電流が供給される。
【００２７】
図３は、駆動回路３ａ２と第２のコイル２ｄとを含む回路図である。この図に示すように駆動回路３ａ２は、直流電源２０と、陽極ライン２１と、陰極ライン２２と、平滑コンデンサ２３と、３つのブリッジ回路２４〜２６とを備えている。
【００２８】
直流電源２０は、バッテリ等からなり、正側端子に陽極ライン２１が接続され、負側端子に陰極ライン２２が接続されている。陽極ライン２１は直流電源２０の正側端子に接続された電気配線であり、陰極ライン２２は直流電源２０の負側端子に接続された電気配線である。平滑コンデンサ２３は、陽極側のリード線が陽極ライン２１に接続され、陰極側のリード線が陰極ライン２２に接続されている。
【００２９】
ブリッジ回路２４〜２６は、Ａ相〜Ｃ相の相ごとに対応して設けられている。ここでは、ブリッジ回路２４がＡ相に対して設けられており、ブリッジ回路２５がＢ相に対して設けられており、ブリッジ回路２６がＣ相に対して設けられている。
【００３０】
Ａ相に属する第２のコイル２ｄ１及び第２のコイル２ｄ４は、図３に示すように直列接続されている。ブリッジ回路２４は、これらの直列接続された第２のコイル２ｄ１及び第２のコイル２ｄ４と接続されている。このブリッジ回路２４は、直列接続された第２のコイル２ｄ１及び第２のコイル２ｄ４の一端側に接続される第１レグ２４ａと、直列接続された第２のコイル２ｄ１及び第２のコイル２ｄ４の他端側に接続される第２レグ２４ｂとによって構成されている。また、第１レグ２４ａは、陽極ライン２１と第２のコイル２ｄ１及び第２のコイル２ｄ４とを接続するスイッチング素子２４ａ１（一端側スイッチング素子）と、陰極ライン２２と第２のコイル２ｄ１及び第２のコイル２ｄ４とを接続するダイオード２４ａ２とが直列接続された構成とされている。また、第２レグ２４ｂは、陰極ライン２２と第２のコイル２ｄ１及び第２のコイル２ｄ４とを接続するスイッチング素子２４ｂ１（他端側スイッチング素子）と、陽極ライン２１と第２のコイル２ｄ１及び第２のコイル２ｄ４とを接続するダイオード２４ｂ２とが直列接続された構成とされている。なお、スイッチング素子２４ａ１及びスイッチング素子２４ｂ１は、例えばＩＧＢＴ（絶縁ゲートバイポーラトランジスタ）からなる。これらのスイッチング素子２４ａ１及びスイッチング素子２４ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｄ１及びコイル２ｄ４は、並列に接続してもよい。
【００３１】
Ｂ相に属する第２のコイル２ｄ３及び第２のコイル２ｄ６は、図３に示すように直列接続されている。ブリッジ回路２５は、これらの直列接続された第２のコイル２ｄ３及び第２のコイル２ｄ６と接続されている。このブリッジ回路２５は、直列接続された第２のコイル２ｄ３及び第２のコイル２ｄ６の一端側に接続される第１レグ２５ａと、直列接続された第２のコイル２ｄ３及び第２のコイル２ｄ６の他端側に接続される第２レグ２５ｂとによって構成されている。また、第１レグ２５ａは、陽極ライン２１と第２のコイル２ｄ３及び第２のコイル２ｄ６とを接続するスイッチング素子２５ａ１（一端側スイッチング素子）と、陰極ライン２２と第２のコイル２ｄ３及び第２のコイル２ｄ６とを接続するダイオード２５ａ２とが直列接続された構成とされている。また、第２レグ２５ｂは、陰極ライン２２と第２のコイル２ｄ３及び第２のコイル２ｄ６とを接続するスイッチング素子２５ｂ１（他端側スイッチング素子）と、陽極ライン２１と第２のコイル２ｄ３及び第２のコイル２ｄ６とを接続するダイオード２５ｂ２とが直列接続された構成とされている。なお、スイッチング素子２５ａ１及びスイッチング素子２５ｂ１は、例えばＩＧＢＴ（絶縁ゲートバイポーラトランジスタ）からなる。これらのスイッチング素子２５ａ１及びスイッチング素子２５ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｄ３及びコイル２ｄ６は、並列に接続してもよい。
【００３２】
Ｃ相に属する第２のコイル２ｄ２及び第２のコイル２ｄ５は、図３に示すように直列接続されている。ブリッジ回路２６は、これらの直列接続された第２のコイル２ｄ２及び第２のコイル２ｄ５と接続されている。このブリッジ回路２６は、直列接続された第２のコイル２ｄ２及び第２のコイル２ｄ５の一端側に接続される第１レグ２６ａと、直列接続された第２のコイル２ｄ２及び第２のコイル２ｄ５の他端側に接続される第２レグ２６ｂとによって構成されている。また、第１レグ２６ａは、陽極ライン２１と第２のコイル２ｄ２及び第２のコイル２ｄ５とを接続するスイッチング素子２６ａ１（一端側スイッチング素子）と、陰極ライン２２と第２のコイル２ｄ２及び第２のコイル２ｄ５とを接続するダイオード２６ａ２とが直列接続された構成とされている。また、第２レグ２６ｂは、陰極ライン２２と第２のコイル２ｄ２及び第２のコイル２ｄ５とを接続するスイッチング素子２６ｂ１（他端側スイッチング素子）と、陽極ライン２１と第２のコイル２ｄ２及び第２のコイル２ｄ５とを接続するダイオード２６ｂ２とが直列接続された構成とされている。なお、スイッチング素子２６ａ１及びスイッチング素子２６ｂ１は、例えばＩＧＢＴからなる。これらのスイッチング素子２６ａ１及びスイッチング素子２６ｂ１は、供給されるパルス信号の電圧が高い場合にオン状態として電流を流し、供給されるパルス信号の電圧が低い場合にオフ状態として電流を遮断する、いわゆるスイッチングを行う。また、コイル２ｄ２及びコイル２ｄ５は、並列に接続してもよい。
【００３３】
このような駆動回路３ａ２は、駆動回路制御装置３ｂから供給されるパルス信号に基づいて、第２のコイル２ｄに対して電流を供給する。例えば、ブリッジ回路２４のスイッチング素子２４ａ１とスイッチング素子２４ｂ１とをオン状態とするパルス信号が供給されると、ブリッジ回路２４に接続された第２のコイル２ｄ１及び第２のコイル２ｄ４（すなわちＡ相に属する第２のコイル２ｄ）に電流が供給される。また、ブリッジ回路２５のスイッチング素子２５ａ１とスイッチング素子２５ｂ１とをオン状態とするパルス信号が供給されると、ブリッジ回路２５に接続された第２のコイル２ｄ３及び第２のコイル２ｄ６（すなわちＢ相に属する第２のコイル２ｄ）に電流が供給される。また、ブリッジ回路２６のスイッチング素子２６ａ１とスイッチング素子２６ｂ１とをオン状態とするパルス信号が供給されると、ブリッジ回路２６に接続された第２のコイル２ｄ２及び第２のコイル２ｄ５（すなわちＣ相に属する第２のコイル２ｄ）に電流が供給される。
【００３４】
このように、本実施形態のモータ装置１においては、第１のコイル２ｃに対して接続される駆動回路３ａ１と、第２のコイル２ｄに対して接続される駆動回路３ａ２とを備えている。つまり、ステータ２ａの突極１つに対して巻回されたコイル（第１のコイル２ｃと第２のコイル２ｄ）の各々に対して駆動回路（駆動回路３ａ１と駆動回路３ａ２）が設けられている。
【００３５】
図１に戻り、駆動回路制御装置３ｂは、例えばマイクロコントローラ等によって構成されており、機能構成上、ＰＷＭ制御部３ｂ１を有している。ＰＷＭ制御部３ｂ１は、スイッチトリラクタンスモータ２の回転速度を示す外部からの指令に基づいて、当該回転速度に応じた通電周期（１つの第１のコイル２ｃ及び第２のコイル２ｄに対する制御の単位時間）のパルス信号を生成して駆動回路３ａに供給する。また、ＰＷＭ制御部３ｂ１は、回転センサ３ｃから入力されるロータ２ｂの回転角度を示す検出信号（検出結果）に基づき、スイッチトリラクタンスモータ２の実際の回転速度をモニタリングしながら、パルス信号の周期を調節する。
【００３６】
なお、ＰＷＭ制御部３ｂ１は、スイッチング素子１４ａ１、スイッチング素子１５ａ１及びスイッチング素子１６ａ１のオン期間（オン状態の期間）中にスイッチング素子１４ｂ１、スイッチング素子１５ｂ１及びスイッチング素子１６ｂ１のオン期間とオフ期間（オフ状態の期間）とが複数回繰り返されるようなパルス信号を生成する。また、ＰＷＭ制御部３ｂ１は、スイッチング素子２４ａ１、スイッチング素子２５ａ１及びスイッチング素子２６ａ１のオン期間中にスイッチング素子２４ｂ１、スイッチング素子２５ｂ１及びスイッチング素子２６ｂ１のオン期間とオフ期間とが複数回繰り返されるようなパルス信号を生成する。このＰＷＭ制御部３ｂ１で生成するパルス信号については、後の動作説明において詳細に説明する。
【００３７】
回転センサ３ｃは、スイッチトリラクタンスモータ２と電気的に接続されており、ロータ２ｂの回転角度を検出し、その検出結果を検出信号として出力するものであり、例えばレゾルバからなる。
【００３８】
次に、このように構成された本実施形態のモータ装置１の動作について説明する。
【００３９】
外部からの指令信号が駆動制御部３に入力されると、ＰＷＭ制御部３ｂ１は、図４に示すように、ブリッジ回路１４のスイッチング素子１４ａ１に供給する駆動信号であるパルス信号Ｑ１と、ブリッジ回路１４のスイッチング素子１４ｂ１に供給する駆動信号であるパルス信号Ｑ２とを生成する。また、ＰＷＭ制御部３ｂ１は、ブリッジ回路２４のスイッチング素子２４ａ１に供給する駆動信号であるパルス信号Ｑ３と、スイッチング素子２４ｂ１に供給する駆動信号であるパルス信号Ｑ４とを生成する。
【００４０】
ＰＷＭ制御部３ｂ１は、パルス信号Ｑ１として、１通電周期における第１のコイル２ｃ１及び第１のコイル２ｃ４への給電期間（実際に電流を供給する期間）がパルス幅とされた信号を生成する。また、ＰＷＭ制御部３ｂ１は、パルス信号Ｑ２として、パルス信号Ｑ１によって規定される上記給電期間中に複数のパルスを有し、各パルスのパルス幅が第１のコイル２ｃ１及び第１のコイル２ｃ４への電流量に応じて設定された信号を生成する。
【００４１】
また、ＰＷＭ制御部３ｂ１は、パルス信号Ｑ３として、１通電周期における第２のコイル２ｄ１及び第２のコイル２ｄ４への給電期間がパルス幅とされた信号を生成する。また、ＰＷＭ制御部３ｂ１は、パルス信号Ｑ４として、パルス信号Ｑ３によって規定される上記給電期間中に複数のパルスを有し、各パルスのパルス幅が第２のコイル２ｄ１及び第２のコイル２ｄ４への電流量に応じて設定された信号を生成する。
【００４２】
このとき、ＰＷＭ制御部３ｂ１は、図４に示すように、パルス信号Ｑ１及びパルス信号Ｑ２に対して、パルス信号Ｑ３及びパルス信号Ｑ４を時間的にパルス信号Ｑ２のパルス周期の半周期分ずらして生成する。
【００４３】
そして、ＰＷＭ制御部３ｂ１は、パルス信号Ｑ１をブリッジ回路１４のスイッチング素子１４ａ１に供給し、パルス信号Ｑ２をブリッジ回路１４のスイッチング素子１４ｂ１に供給する。この結果、第１のコイル２ｃ１及び第１のコイル２ｃ４に、図４に示すような電流Ｉ１が供給され、第１のコイル２ｃ１及び第１のコイル２ｃ４によって磁界が形成され、図４に示すようなトルクＴ１が発生する。
【００４４】
また、ＰＷＭ制御部３ｂ１は、パルス信号Ｑ３をブリッジ回路２４のスイッチング素子２４ａ１に供給し、パルス信号Ｑ４をブリッジ回路２４のスイッチング素子２４ｂ１に供給する。この結果、第２のコイル２ｄ１及び第２のコイル２ｄ４に、図４に示すような電流Ｉ２が供給され、第２のコイル２ｄ１及び第２のコイル２ｄ４によって磁界が形成され、図４に示すようなトルクＴ２が発生する。
【００４５】
また、電流Ｉ１には、スイッチング素子１４ｂ１のスイッチングにより、図４に示すようにパルス信号Ｑ２のパルス周期と同じ周期のリップルが生じる。電流Ｉ２には、スイッチング素子２４ｂ１のスイッチングによってパルス信号Ｑ４のパルス周期と同じ周期のリップルが生じる。ここで、本実施形態においては、ＰＷＭ制御部３ｂ１は、パルス信号Ｑ１及びパルス信号Ｑ２に対して、パルス信号Ｑ３及びパルス信号Ｑ４を時間的にパルス信号Ｑ２のパルス周期の半周期分ずらして生成する。このため、図４に示すように、電流Ｉ１のリップルの位相と、電流Ｉ２のリップルの位相とが１８０°ずれ、同様に、トルクＴ１のリップルの位相とトルクＴ２のリップルの位相とが１８０°ずれる。この結果、トルクＴ１とトルクＴ２の合成トルクＴ３は、図４に示すように、脈動の振幅が抑制されたものとなる。
【００４６】
なお、ＰＷＭ制御部３ｂ１は、それぞれタイミングをずらして、ブリッジ回路１５のスイッチング素子１５ａ１とブリッジ回路１６のスイッチング素子１６ａ１とにパルス信号Ｑ１を供給し、ブリッジ回路１５のスイッチング素子１５ｂ１とブリッジ回路１６のスイッチング素子１６ｂ１とにパルス信号Ｑ２を供給する。また、ＰＷＭ制御部３ｂ１は、それぞれタイミングをずらして、ブリッジ回路２５のスイッチング素子２５ａ１とブリッジ回路２６のスイッチング素子２６ａ１とにパルス信号Ｑ３を供給し、ブリッジ回路２５のスイッチング素子２５ｂ１とブリッジ回路２６のスイッチング素子２６ｂ１とにパルス信号Ｑ４を供給する。これによって、ロータ２ｂの回転を持続するための回転磁界が形成される。
【００４７】
以上のような本実施形態のモータ装置１によれば、ステータ２ａの同一の突極（突極２ａ１〜２ａ６）に対して設けられた第１のコイル２ｃと第２のコイル２ｄとに対して、リップルの位相がずれた電流が供給される。このため、第１のコイル２ｃによるトルクリップルと第２のコイル２ｄによるトルクリップルとの位相もずれ、トルクリップル同士が打ち消しあい、これによって振動及び騒音の発生を低減させることができる。したがって、本実施形態のモータ装置１によれば、コイルに供給する電流のリップルに起因するスイッチトリラクタンスモータの振動及び騒音を低減することが可能となる。
【００４８】
また、本実施形態のモータ装置１によれば、第１のコイル２ｃに供給される電流のリップルと、第２のコイル２ｄに供給される電流のリップルとの位相を１８０°ずらされている。このため、最もトルクリップルの低減効果が大きく、スイッチトリラクタンスモータ２の振動及び騒音を低減することが可能となる。
【００４９】
また、本実施形態のモータ装置１によれば、ステータ２ａの突極１つに対して巻回されたコイル（第１のコイル２ｃと第２のコイル２ｄ）の各々に対して駆動回路（駆動回路３ａ１と駆動回路３ａ２）が設けられている。このため、第１のコイル２ｃに供給される電流と第２のコイル２ｄに供給される電流とを容易に個別制御することができる。
【００５０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５１】
例えば、上記実施形態においては、１つの突極に対して２つのコイルが巻回された構成について説明した。しかしながら、本発明はこれに限定されるものでなく、１つの突極に対して３つ以上のコイルを巻回しても良い。このような場合であっても、１つの突極に対して巻回される複数のコイルに対して、電流のリップルの位相がずれるように電流を供給することによって、スイッチトリラクタンスモータの振動及び騒音を低減することができる。
【００５２】
また、上記実施形態においては、第１のコイル２ｃに供給する電流のリップルの位相と、第２のコイル２ｄに供給する電流のリップルの位相とが１８０°ずれている構成について説明した。しかしながら、本発明はこれに限定されるものではなく、第１のコイル２ｃに供給する電流のリップルの位相と、第２のコイル２ｄに供給する電流のリップルの位相とがずれてさえいれば、スイッチトリラクタンスモータの振動及び騒音を低減することができる。また、例えば、１つの突極に対して３つのコイルを巻回するような場合には、各コイルの電流のリップルの位相を１２０°ずつ変位するようにしても良い。
【００５３】
また、上記実施形態においてはスイッチトリラクタンスモータ２をモータとして用いる構成についてのみ説明した。しかしながら、駆動回路３ａ１がダイオード１４ａ２、ダイオード１４ｂ２、ダイオード１５ａ２、ダイオード１５ｂ２、ダイオード１６ａ２及びダイオード１６ｂ２を備え、駆動回路３ａ２がダイオード２４ａ２、ダイオード２４ｂ２、ダイオード２５ａ２、ダイオード２５ｂ２、ダイオード２６ａ２及びダイオード２６ｂ２を備えており、スイッチトリラクタンスモータ２は、従来のスイッチトリラクタンスモータと同様に、発電機として用いることも可能である。
【００５４】
また、上記実施形態においてスイッチトリラクタンスモータはステータ極数が６、ロータ極数４の構成についてのみ説明した。しかしながら、極数はこれに限定されるものではなく、その他の極数の組み合わせにおいても同様の効果を得ることができる。
【符号の説明】
【００５５】
１……モータ装置、２……スイッチトリラクタンスモータ、２ａ……ステータ、２ａ１……突極、２ａ２……突極、２ａ３……突極、２ａ４……突極、２ａ５……突極、２ａ６……突極、２ｂ……ロータ、２ｂ１……突極、２ｂ１〜２ａ４……突極、２ｂ１〜２ｂ４……突極、２ｂ２……突極、２ｂ３……突極、２ｂ４……突極、２ｃ……第１のコイル（第１のコイル）、２ｃ１……第１のコイル、２ｃ２……第１のコイル、２ｃ３……第１のコイル、２ｃ４……第１のコイル、２ｃ５……第１のコイル、２ｃ６……第１のコイル、２ｄ……第２のコイル（第２のコイル）、２ｄ１……第２のコイル、２ｄ２……第２のコイル、２ｄ３……第２のコイル、２ｄ４……第２のコイル、２ｄ５……第２のコイル、２ｄ６……第２のコイル、３……駆動制御部（駆動制御手段）、３ａ……駆動回路、３ａ１……駆動回路、３ａ２……駆動回路、３ｂ……駆動回路制御装置、３ｂ１……ＰＷＭ制御部、３ｂ２……フラグ生成部、３ｃ……回転センサ、１０……直流電源、１１……陽極ライン、１２……陰極ライン、１３……平滑コンデンサ、１４……ブリッジ回路、１４ａ……第１レグ、１４ａ１……スイッチング素子（一端側スイッチング素子）、１４ａ２……ダイオード、１４ｂ……第２レグ、１４ｂ１……スイッチング素子（他端側スイッチング素子）、１４ｂ２……ダイオード、１５……ブリッジ回路、１５ａ……第１レグ、１５ａ１……スイッチング素子（一端側スイッチング素子）、１５ａ２……ダイオード、１５ｂ……第２レグ、１５ｂ１……スイッチング素子（他端側スイッチング素子）、１５ｂ２……ダイオード、１６……ブリッジ回路、１６ａ……第１レグ、１６ａ１……スイッチング素子（一端側スイッチング素子）、１６ａ２……ダイオード、１６ｂ……第２レグ、１６ｂ１……スイッチング素子（他端側スイッチング素子）、１６ｂ２……ダイオード、２０……直流電源、２１……陽極ライン、２２……陰極ライン、２３……平滑コンデンサ、２４……ブリッジ回路、２４ａ……第１レグ、２４ａ１……スイッチング素子（一端側スイッチング素子）、２４ａ２……ダイオード、２４ｂ……第２レグ、２４ｂ１……スイッチング素子（他端側スイッチング素子）、２４ｂ２……ダイオード、２５……ブリッジ回路、２５ａ……第１レグ、２５ａ１……スイッチング素子（一端側スイッチング素子）、２５ａ２……ダイオード、２５ｂ……第２レグ、２５ｂ１……スイッチング素子（他端側スイッチング素子）、２５ｂ２……ダイオード、２６……ブリッジ回路、２６ａ……第１レグ、２６ａ１……スイッチング素子（一端側スイッチング素子）、２６ａ２……ダイオード、２６ｂ……第２レグ、２６ｂ１……スイッチング素子（他端側スイッチング素子）、２６ｂ２……ダイオード
【図１】
2014135795.tif 000003
【図２】
2014135795.tif 000004
【図３】
2014135795.tif 000005
【図４】
2014135795.tif 000006